(57)【要約】【課題】水田へ植えられた苗の除草等を行う、水田作業機において、水田作業機の車輪支持部で車輪支持部前方の泥を押し、押された泥が盛り上がり、水田に植えた苗を倒してしまい、欠株となり、収穫量が減少してしまう為、作業者が水田に入り、沈んだ苗を掘り起こす作業が必要であった。【解決手段】本発明の水田作業機の泥案内板５０は、水田作業機の車輪支持部１８前方下部へ設けられている。泥案内板５０は、斜辺部が車輪側となるように、配置されており、水田の泥を確実に車輪側へ押し出す構造となっている。【選択図】図４
2018191616.tif 000002
【特許請求の範囲】
【請求項１】
水田作業機の走行車体へ作業装置を有し、メインフレーム、前輪と後輪を備えた乗用型機体の走行車体において、メインフレームから車輪支持部によって車輪が支持されており、前記車輪支持部へ配置される泥案内板。
【請求項２】
請求項１に記載の泥案内板であって、前記泥案内板は、前記車輪支持部の前方に設けられ、車輪側が傾斜している泥案内板。
【発明の詳細な説明】
【技術分野】
【０００１】
苗を移植した後の水田の作業を効率よく確実に行う水田用作業機に関する。
【背景技術】
【０００２】
従来、水田に植えられた複数の苗の周囲に生える雑草を除去するために、苗の条間を除草する除草機を水田作業機に取り付け除草を行っていた。従来の水田除草機については、例えば、特許文献１に記載されている。
【０００３】
特許文献１に記載の除草機では、前輪と後輪の間へ除草部を設け、除草部は、ツースと条間ローターで構成されており、圃場に条植えされた苗の周囲に育成する雑草を除草するためのものである。
【先行技術文献】
【特許文献】
【０００４】
【特許文献１】特開２０１５−１２３０２２
【発明の概要】
【発明が解決しようとする課題】
【０００５】
図３は、車輪支持部１８に泥案内板を設けない場合の泥の流れを模式的に示した図である。特許文献１に記載の除草機では、図３に示す前輪構造となっており、深い湿田で除草を行う際には、前輪１２の車輪支持部１８で前方の泥を押し、押した泥が図３の矢印１００方向へ盛り上がり水田に移植した苗Ｎを倒し、泥の中に苗Ｎｂを沈めてしまい、欠株となり、収穫量が減少してしまう為、作業者が水田に入り、沈んだ苗を掘り起こす作業が必要となるといった問題がある。
【０００６】
本発明は、このような事情に鑑みなされたものであり、水田作業機の車輪支持部が泥を押して苗を倒してしまわないようにし、作業者の苗を起こす作業も不要となり、収穫量を減少させないことを目的とする。
【課題を解決するための手段】
【０００７】
上記課題を解決するため、本願の第１発明は、水田作業機の走行車体へ作業装置を有し、メインフレーム、前輪と後輪を備えた乗用型機体の走行車体において、メインフレームから車輪支持部によって車輪が支持されており、前記車輪支持部へ配置される泥案内板を設ける。
【０００８】
本願の第２発明は、第１発明の泥案内板であって、前記泥案内板は、車輪支持部の前方に設けられ、車輪側が傾斜している。
【発明の効果】
【０００９】
本願の第１発明によれば、水田用作業機の車輪支持部前方へ取り付けた泥案内板により、苗を泥で倒すこともなくなり、苗の欠株を防ぎ安定した収量を見込むことができる。
【００１０】
特に、本願の第２発明によれば、泥案内板の傾斜部分を車輪側へ設けることにより、車輪支持部前方の泥を確実に車輪方向へと流し、苗側へ泥が押されることを抑制することができる。
【図面の簡単な説明】
【００１１】
【図１】水田作業機の側面図である。
【図２】泥案内板の上面図である。
【図３】車輪支持部に泥案内板を設けない場合の泥の流れを模式的に示した図である。
【図４】車輪支持部材に泥案内板を設けた場合の泥の流れを模式的に表した図である。
【発明を実施するための形態】
【００１２】
以下、本発明の好適な実施形態について、図面を参照しつつ説明する。なお、本願では、水田作業機の進行方向を「前方向」、水田作業機の進行方向と逆の方向を「後方向」と称し、図面中、前方向に「Ｆ」、後方向に「Ｒ」を付している場合がある。
【００１３】
本実施形態では、図１に示すように水田作業機に除草部を設けた水田除草機として説明を行う。図１は除草機１の側面図である。この除草機１は、水田に条植えされた苗の周囲に生える雑草を除去する装置である。
【００１４】
図１に示すように、本実施形態の除草機1は、走行車体１０と、除草装置２０と、駆動機構３０とを有する。
【００１５】
走行車体１０は、メインフレーム１１、前輪１２、後輪１３、操作部１４、運転席１５、昇降リンク１６を備えた乗用型機体である。メインフレーム１１は。前輪１２および後輪１３によって支持されている。
【００１６】
本実施形態では、走行車体１０は、１つの前輪１２および２つの後輪１３を有する三輪車である。前輪１２は、走行車体１０の前方中央に配置される。また、後輪１３は、走行車体１０の後方に、左右の間隔を空けて配置される。
【００１７】
走行車体１０には、走行駆動機構を設け、走行用駆動機構にエンジン１７が用いられる。本実施形態の前輪１２および後輪１３はそれぞれ動力伝達機構（図示せず）を介してエンジン１７と連結される。また、エンジン１７は除草部の駆動へも使用される。
【００１８】
本実施例の泥案内板５０は、メインフレーム１１から車輪支持部１８によって前輪１２を支持している車輪支持部前方下部へ設けている。
【００１９】
泥案内板５０は、直角三角形としており、車輪支持部１８へ三角形の隣辺をボルトにより固定し、前輪１２側へ斜辺がくるように設置している。
【００２０】
泥案内板５０の傾斜は平面視において、車輪と平行に進行方向に向かって伸びる直線状の板と、前記車輪と平行に伸びる直線状の板に対して車輪側へ鋭角をなす形状となっている。
【００２１】
前輪１２にはホイールキャップ１９が両端にボルトで固定されている。本発明では、車輪支持部１８側を薄くしたホイールキャップ１９を固定した。車輪支持部１８側のホイールキャップ１９を薄くしたことにより、車輪支持部１８前方の泥が押されて進入してくるスペースを広く確保することができた。
【００２２】
以上、本発明の一実施形態について説明したが、本発明は、上記の実施形態に限定されるものではなく、例えば以下のように、発明の趣旨か逸脱しない範囲で適宜変更して具体化することもできる。
（１）前輪１２の数を変更（例えば、２輪等）すること。
（２）除草装置２０以外の作業装置（溝切り機、農薬噴霧機、散粒機等）を取り付けること。
（３）泥案内板５０をボルト以外の方法で車輪支持部へ取り付けること。
（４）泥案内板５０の形を変形（扇形、ひし形等）させること。
【実施例】
【００２３】
実施例として、図４へ泥案内板の作用を模式的に示した。水田作業機が前方へ進むと、車輪支持部１８に設置された泥案内板５０により、圃場の泥は、矢印１００方向へ押し出される。泥が苗の方向へ押し出されない為、進行方向後方Ｒの苗も倒れていない。
【符号の説明】
【００２４】
１        除草機
１０      走行車体
１１      メインフレーム
１２      前輪
１３      後輪
１４      操作部
１５      運転席
１６      昇降リンク
１７      エンジン
１８      車輪支持部
１９      ホイールキャップ
２０      除草装置
３０      駆動機構
５０      泥案内板
Ｎ        苗
【図１】
2018191616.tif 000003
【図２】
2018191616.tif 000004
【図３】
2018191616.tif 000005
【図４】
2018191616.tif 000006